【手続補正書】
【提出日】平成17年2月7日(2005.2.7)
【手続補正１】
【補正対象書類名】明細書
【補正対象項目名】発明の名称
【補正方法】変更
【補正の内容】
【発明の名称】データ処理装置及びサーバ装置及びそれらの制御方法及び記憶媒体
【手続補正２】
【補正対象書類名】明細書
【補正対象項目名】特許請求の範囲
【補正方法】変更
【補正の内容】
【特許請求の範囲】
【請求項１】
ネットワークを介してサーバ装置と通信可能なデータ処理装置であって、
前記サーバ装置へオリジナルデータの取得要求を送信する送信手段と、
前記サーバ装置から前記オリジナルデータと対応する表示用データを取得する取得手段と、
前記表示用データをディスプレイに表示する表示制御手段と、
前記表示された表示用データに対して所定領域へのドラッグアンドドロップ操作が行われたか否かを検知する検知手段と、
前記検知結果に応じて、前記表示用データと対応するオリジナルデータのダウンロード処理を実行するダウンロード手段とを有することを特徴とするデータ処理装置。
【請求項２】
前記ダウンロード手段によりダウンロードされたオリジナルデータを編集処理する編集手段とを更に備えたことを特徴とする請求項１に記載のデータ処理装置。
【請求項３】
前記サーバ装置が保有するオリジナルデータ或いは表示用データは圧縮されており、
前記圧縮されたオリジナルデータ或いは表示用データを伸長するデータ伸長手段とを更に備えたことを特徴とする請求項１に記載のデータ処理装置。
【請求項４】
ネットワークを介してデータ処理装置と通信可能なサーバ装置であって、
オリジナルデータ及びその表示用データとを対応づけてテーブルとして記憶領域に保持する保持手段と、
前記データ処理装置からオリジナルデータの取得要求を受信する受信手段と、
前記取得要求に応答して、前記オリジナルデータと対応する表示用データを前記データ処理装置へ送信する送信手段と、
前記データ処理装置で所定領域へのドラッグアンドドロップ操作が行われた表示用データと対応するオリジナルデータの前記データ処理装置へのダウンロード処理を実行するダウンロード手段とを有することを特徴とするサーバ装置。
【請求項５】
ネットワークを介してサーバ装置と通信可能なデータ処理装置の制御方法であって、
前記サーバ装置へオリジナルデータの取得要求を送信する工程と、
前記サーバ装置から前記オリジナルデータと対応する表示用データを取得する工程と、
前記表示用データをディスプレイに表示する工程と、
前記表示された表示用データに対して所定領域へのドラッグアンドドロップ操作が行われたか否かを検知する工程と、
前記検知結果に応じて、前記表示用データと対応するオリジナルデータのダウンロード処理を実行する工程とを有することを特徴とする制御方法。
【請求項６】
ネットワークを介してデータ処理装置と通信可能なサーバ装置の制御方法であって、
オリジナルデータ及びその表示用データとを対応づけてテーブルとして記憶領域に保持する工程と、
前記データ処理装置からオリジナルデータの取得要求を受信する工程と、
前記取得要求に応答して、前記オリジナルデータと対応する表示用データを前記データ処理装置へ送信する工程と、
前記データ処理装置で所定領域へのドラッグアンドドロップ操作が行われた表示用データと対応するオリジナルデータの前記データ処理装置へのダウンロード処理を実行する工程とを有することを特徴とする制御方法。
【請求項７】
ネットワークを介してサーバ装置と通信可能なデータ処理装置を制御するためのプログラムを記憶した記憶媒体であって、
前記サーバ装置へオリジナルデータの取得要求を送信する工程と、
前記サーバ装置から前記オリジナルデータと対応する表示用データを取得する工程と、
前記表示用データをディスプレイに表示する工程と、
前記表示された表示用データに対して所定領域へのドラッグアンドドロップ操作が行われたか否かを検知する工程と、
前記検知結果に応じて、前記表示用データと対応するオリジナルデータのダウンロード処理を実行する工程とを有することを特徴とするプログラムをコンピュータ装置読み出し可能に記憶した記憶媒体。
【請求項８】
ネットワークを介してデータ処理装置と通信可能なサーバ装置を制御するためのプログラムを記憶した記憶媒体であって、
オリジナルデータ及びその表示用データとを対応づけてテーブルとして記憶領域に保持する工程と、
前記データ処理装置からオリジナルデータの取得要求を受信する工程と、
前記取得要求に応答して、前記オリジナルデータと対応する表示用データを前記データ処理装置へ送信する工程と、
前記データ処理装置で所定領域へのドラッグアンドドロップ操作が行われた表示用データと対応するオリジナルデータの前記データ処理装置へのダウンロード処理を実行する工程とを有することを特徴とするプログラムをコンピュータ装置読み出し可能に記憶した記憶媒体。
【手続補正３】
【補正対象書類名】明細書
【補正対象項目名】０００１
【補正方法】変更
【補正の内容】
【０００１】
【発明の属する技術分野】
本発明は、ネットワークを通してデータを供給するサーバ装置、そのデータを資源として利用するデータ処理装置及びそれらの制御方法及び記憶媒体に関する。
【手続補正４】
【補正対象書類名】明細書
【補正対象項目名】０００４
【補正方法】変更
【補正の内容】
【０００４】
本発明の目的は、利用者がネットワーク上のサーバ装置が保有するデータを円滑に取得し、活用できるようにすることにある。
【手続補正５】
【補正対象書類名】明細書
【補正対象項目名】０００６
【補正方法】変更
【補正の内容】
【０００６】
【課題を解決するための手段】
上記目的を達成するために、本願に係る発明は、ネットワークを介してサーバ装置と通信可能なデータ処理装置であって、前記サーバ装置へオリジナルデータの取得要求を送信する送信手段と、前記サーバ装置から前記オリジナルデータと対応する表示用データを取得する取得手段と、前記表示用データをディスプレイに表示する表示制御手段と、
前記表示された表示用データに対して所定領域へのドラッグアンドドロップ操作が行われたか否かを検知する検知手段と、前記検知結果に応じて、前記表示用データと対応するオリジナルデータのダウンロード処理を実行するダウンロード手段とを有することを特徴とする。
【手続補正６】
【補正対象書類名】明細書
【補正対象項目名】０００７
【補正方法】変更
【補正の内容】
【０００７】
また、本願に係る発明は、ネットワークを介してデータ処理装置と通信可能なサーバ装置であって、オリジナルデータ及びその表示用データとを対応づけてテーブルとして記憶領域に保持する保持手段と、前記データ処理装置からオリジナルデータの取得要求を受信する受信手段と、前記取得要求に応答して、前記オリジナルデータと対応する表示用データを前記データ処理装置へ送信する送信手段と、前記データ処理装置で所定領域へのドラッグアンドドロップ操作が行われた表示用データと対応するオリジナルデータの前記データ処理装置へのダウンロード処理を実行するダウンロード手段とを有することを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００６４
【補正方法】変更
【補正の内容】
【００６４】
このようにネットワーク上のデータの取得を圧縮されたデータを用いて、クライアント側で取得したデータを伸長して表示や取り込み制御を行うので、ネットワーク上で転送するデータのサイズを小さくして転送時間を短縮化することが可能となる。
【手続補正１０】
【補正対象書類名】明細書
【補正対象項目名】０１１５
【補正方法】変更
【補正の内容】
【０１１５】
【発明の効果】
以上説明したように、本発明によれば、サーバ装置からデータ処理装置へ、まず、データ量の小さい表示用データを送信して表示させ、その中から選択された表示用データと対応するオリジナルデータをダウンロードするようにしたので、ユーザは速やかにデータのプレビューイメージを確認することができ、また、必要なオリジナルデータだけをダウンロードできる。
【手続補正１１】
【補正対象書類名】明細書
【補正対象項目名】０１１６
【補正方法】削除
【補正の内容】
【手続補正１２】
【補正対象書類名】明細書
【補正対象項目名】０１１７
【補正方法】削除
【補正の内容】
【手続補正１３】
【補正対象書類名】明細書
【補正対象項目名】０１１８
【補正方法】削除
【補正の内容】
【手続補正１４】
【補正対象書類名】明細書
【補正対象項目名】０１１９
【補正方法】削除
【補正の内容】